(57)【要約】      （修正有）【課題】水分子の電解反応の効率をより高める水素水生成機電極改良構造を提供する。【解決手段】少なくとも一つの電極素子１１、１２を備える水素水生成機電極改良構造１０であって、電極素子１１、１２は、金属材料で作製され、電極素子１１、１２の表面積を増加するための透過部１３が少なくとも一つ設置され、電極素子１１、１２が、さらに、導電素子２０の第１導電部２１及び第２導電部２２にそれぞれ電気的に接続されていることを特徴とする。よって、水素水生成機が機能する時に、電極素子１１、１２により多い水分子を接触させ解離して水素及び酸素を生成し、水分子の電解反応の効率を向上することができる。【選択図】図１
0003201909.tif 000002
【実用新案登録請求の範囲】
【請求項１】
少なくとも一つの電極素子を備える水素水生成機電極改良構造であって、
前記電極素子は、金属材料で作製され、前記電極素子の表面積を増加するための透過部が少なくとも一つ設置され、前記電極素子が、導電素子の第１導電部及び第２導電部にそれぞれ電気的に接続されていることを特徴とする、
水素水生成機電極改良構造。
【請求項２】
前記電極素子はシート状構造であることを特徴とする請求項１記載の水素水生成機電極改良構造。
【請求項３】
前記金属材料はチタンであることを特徴とする請求項１記載の水素水生成機電極改良構造。
【請求項４】
前記電極素子の周りにシース層がメッキされていることを特徴とする請求項１記載の水素水生成機電極改良構造。
【請求項５】
前記シース層は、ＰｔまたはＡｕから構成されることを特徴とする請求項４記載の水素水生成機電極改良構造。
【請求項６】
前記透過部は、前記電極素子からパンチプレスでパンチして形成されることを特徴とする請求項１記載の水素水生成機電極改良構造。
【請求項７】
前記透過部は、前記電極素子から交互に織り込んで形成されることを特徴とする請求項１記載の水素水生成機電極改良構造。
【請求項８】
前記電極素子は、互いに平行に設置されていることを特徴とする請求項１記載の水素水生成機電極改良構造。
【請求項９】
前記電極素子は、互いに交互して距離を置いて並べられていることを特徴とする請求項１記載の水素水生成機電極改良構造。
【請求項１０】
前記電極素子のピッチを固定するための固定部材をさらに備えることを特徴とする請求項１記載の水素水生成機電極改良構造。
【考案の詳細な説明】
【技術分野】
【０００１】
本考案は、電極改良構造に関し、特に、多数の透過部を有し、水分子を電解して水素及び酸素を生成する水素水生成機の電極改良構造に関する。
【背景技術】
【０００２】
現在、人々の飲用水に対する要求は、単純な渇きの癒しや清浄に留まらず、機能性を持つ機能水が求められている。水素水（Ｈｙｄｒｏｇｅｎ  Ｗａｔｅｒ）は、そのうちの一つであり、大量の水素を含有する水であるため、水素豊富水とも称される。
【０００３】
近年、水素は医学や保健など多くの分野に効果的に運用可能であることが実証されている。その実証によれば、人が少量の水素を吸収すると、選択的な抗酸化作用が生じられ、毒性のある自由基を中和することにより、例えば、糖尿病、器官の損傷、脳卒中、放射線治療による損傷、老人性認知症、卒中風、高血圧、癌などの様々な疾病を治療することができる。
【０００４】
市販の水素水生成機は、水の電解反応によって水の中で水素を発生させて、水素水を生成した後、飲ませることで人体に吸収させるが、水素水生成機は、一般に、ステンレス鋼の材質を電解反応の電極とし、また、棒状形状である電極を用いるため、水素の発生効率が不十分になってしまう。
【０００５】
よって、上記の従来技術には欠点があり設計が不十分であるため改良が望まれている。
【考案の概要】
【考案が解決しようとする課題】
【０００６】
本考案は、電極素子に水分子を通させる透過部が多数設置され、前記電極素子の表面積を増加し、水分子の電解反応の効率をより高める水素水生成機電極改良構造を提供することを主な目的とする。
【課題を解決するための手段】
【０００７】
上述の目的を達成するための本考案は、少なくとも一つの電極素子を備える水素水生成機電極改良構造であって、前記電極素子は、金属材料で作製され、前記電極素子の表面積を増加するための透過部が少なくとも一つ設置され、前記電極素子が、さらに、導電素子の第１導電部及び第２導電部にそれぞれ電気的に接続されていることを特徴とする。
【０００８】
前記のような水素水生成機電極改良構造において、前記電極素子はシート状構造である。
【０００９】
前記のような水素水生成機電極改良構造において、前記金属材料はチタンである。
【００１０】
前記のような水素水生成機電極改良構造において、前記電極素子の周りにシース層にメッキされている。
【００１１】
前記のような水素水生成機電極改良構造において、前記シース層は、ＰｔまたはＡｕから構成される。
【００１２】
前記のような水素水生成機電極改良構造において、前記透過部は、前記電極素子からパンチプレスでパンチして形成される。
【００１３】
前記のような水素水生成機電極改良構造において、前記透過部は、前記電極素子から交互に織り込んで形成される。
【００１４】
前記のような水素水生成機電極改良構造において、前記電極素子は、互いに平行に設置されている。
【００１５】
前記のような水素水生成機電極改良構造において、前記電極素子は、互いに交互して距離を置いて並べられている。
【００１６】
前記のような水素水生成機電極改良構造において、前記電極素子のピッチを固定するための固定部材をさらに備える。
【００１７】
以上のように、本考案は、空間形態上で確かに革新的であるだけでなく、従来よりも前記の複数の効果が向上され、新規性及び進歩性といった法定の実用新案登録の要件が十分に満たされている。そこで法律に基づき出願する。本願実用新案の出願を審査の上、許可されたい。
【図面の簡単な説明】
【００１８】
【図１】本考案に係る水素水生成機電極改良構造の斜視図である。
【図２】本考案に係る水素水生成機電極改良構造の電極素子の第１設置態様の模式図である。
【図３】本考案に係る水素水生成機電極改良構造の電極素子の第２設置態様の結合模式図である。
【図４】本考案に係る水素水生成機電極改良構造の電極素子の第２設置態様分の分解模式図である。
【図５】本考案に係る水素水生成機電極改良構造の実施例図である。
【考案を実施するための形態】
【００１９】
図１を参照する。図１は本考案に係る水素水生成機電極改良構造１０の斜視図である。
水素水生成機電極改良構造１０は、少なくとも一つの電極素子１１、１２を備え、これらの電極素子１１、１２は、シート状構造である。その特徴として、これらの電極素子１１、１２は、金属材料で作製され、ここで、金属材料はチタンである。さらに、これらの電極素子１１、１２の表面積を増加するために、これらの電極素子１１、１２に透過部１３が少なくとも一つ設置され、これらの透過部１３は、これらの電極素子１１、１２からパンチプレスでパンチして形成されるか、これらの電極素子１１、１２から交互に織り込んで形成されている。その内、電極素子１１が第１導電部２１と同じ極性（例えば正極）、電極素子１２も第２導電部２２と同じ極性（例えば負極）を有するとともに、第１導電部２１の極性と第２導電部２２の極性とが反対する極性（正極、負極）であるように、これらの電極素子１１、１２が、さらに、導電素子２０の第１導電部２１及び第２導電部２２にそれぞれ電気的に接続されている。
【００２０】
水素水生成機が機能する時、これらの電極素子１１、１２は、チタンの金属材料で作製されるため、電気伝導率が従来のステンレス鋼の電極よりも高い。さらに、これらの電極素子１１、１２が透過部１３を有することに加え、これらの電極素子１１、１２の表面積が大きく増加され、より多い水分子をこれらの電極素子１１、１２に接触させて解離し水素と酸素を生成することができるため、水分子の電解効率を高め、水素及び酸素を生成する効率が向上される。
【００２１】
引き続き、図２〜図４に示す電極素子１１、１２の設置態様を参照する。
図２に示した第１設置態様の模式図のように、これらの電極素子１１、１２の配列は、互いに平行であり、図３及び図４に示した第２設置態様の結合及び分解模式図のように、これらの電極素子１１、１２の配列は、互いに交互して距離を置いて並べられている。また、これらの電極素子１１、１２は互いに接触することを避けるため、電極素子１１、１２の間に少なくとも一つの固定部材３０が設けられ、電極素子１１、１２のピッチを固定する。
【００２２】
さらに、これらの電極素子１１、１２の周りにはシース層がメッキされ、シース層は、ＰｔまたはＡｕから構成されている。シース層がＰｔで構成された場合、これらの電極素子１１、１２に侵食または錆び防止の能力が向上され、シース層がＡｕで構成された場合、さらに、これらの電極素子１１、１２の水分子の電解効率を高めることができる。
【００２３】
最後に、図１および図５を同時に参照する。
本考案の水素水生成機電極改良構造１０を電極ケース４０内に設け、電極ケース４０は電線を介して水素水生成機本体５０に接続され、電極ケース４０を水の入った浴槽６０中に置き、浴槽８０の中の水を電極ケース４０内に進入させ、水素水生成機電極改良構造１０の電極素子１１、１２に接触すると、電解して水素と酸素を生成し、ユーザが入浴と同時に、大量の水素と酸素を吸収することができるように構成される。
【００２４】
さらに、本考案の水素水生成機電極改良構造１０を水素水生成機本体５０の内部に直接に設け、これらの電極素子１１、１２により、水素水生成機本体５０内に入れた水を電解し、さらに遮断層により発生された酸素または水素を遮断すれば、それぞれ水素の豊富な水素水、または酸素の豊富な酸素水が形成され、使用者に飲み水として供給し、水素または酸素を吸収する効果に達することができる。
【００２５】
本考案は、水素水生成機電極改良構造を確実に提供し、電極素子上に多数の水分子を通させる透過部が設置され、水分子の電解反応の効率を高め、使用者に短時間で大量の水素と酸素を吸収可能であり、さらに、使用者に水素の豊富な水素水または酸素の豊富な酸素水を飲むことができる。
【００２６】
以上の説明は、本考案の好ましい実施例に過ぎず、本考案の請求範囲を限定するものではなく、いずれの本考案の明細書及び図面内容を運用して実施した等価な構造変形は、本考案の範囲内に含まれるものであることは言うまでもない。
【符号の説明】
【００２７】
１０  水素水生成機電極改良構造
１１  電極素子
１２  電極素子
１３  透過部
２０  導電素子
２１  第１導電部
２２  第２導電部
３０  固定部材
４０  電極ケース
５０  水素水生成機本体
６０  浴槽
【図１】
0003201909.tif 000003
【図２】
0003201909.tif 000004
【図３】
0003201909.tif 000005
【図４】
0003201909.tif 000006
【図５】
0003201909.tif 000007